(57)【特許請求の範囲】
【請求項１】
本体（Ｌ）と、
前記本体の内部に設けられ外部デバイスに接続するための第１接続端子（１）と、
携帯電話に接続するための第２接続端子（２）と、
前記第１接続端子（１）と前記第２接続端子（２）を接続させるため、データの送受信に用いられる２ピンのデータ通信ケーブル（３１）と、電圧を転送するための２ピンの電圧ケーブル（３２）と、を有する接続ケーブル（３）と、
前記本体（Ｌ）の外部に設けられるディスプレイ（４）と、
前記本体（Ｌ）の内部に設けられるＤＳＰチップ（５）と、
前記本体（Ｌ）の内部に設けられる電圧検出回路（６）と、
前記本体（Ｌ）の内部に設けられる電流検出回路（７）と、
前記本体（Ｌ）の内部に設けられる電圧安定化回路（８）と、
前記本体（Ｌ）の内部に設けられる過電圧及び過電流保護回路（９）と、を備える携帯電話に使用されるデータケーブルであって、
前記ＤＳＰチップ（５）の第１端（ａ１）は、前記電圧検出回路（６）の第１端（ｂ１）に接続され、前記ＤＳＰチップ（５）の第２端（ａ２）は、前記電流検出回路（７）の第１端（ｃ１）に接続され、前記ＤＳＰチップ（５）の第３端（ｃ３）は、前記ディスプレイ（４）に接続され、
前記電圧検出回路（６）の第２端（ｂ２）は、前記２ピンの電圧ケーブル（３２）のうちの１ピンに接続され、前記電圧検出回路（６）の第３端（ｂ３）は、グランドに接続され、
前記電流検出回路（７）の第２端（ｃ２）と第３端（ｃ３）は、前記２ピンの電圧ケーブル（３２）のうちの別のピンに連結されることで、前記第１接続端子（１）及び前記第２接続端子（２）に接続され、
前記電圧安定化回路（８）の一端と前記電圧検出回路（６）は、いずれも同じ電圧ケーブルに接続され、前記電圧安定化回路（８）の他端は、グランドに接続され、
前記過電圧及び過電流保護回路（９）は、前記第１接続端子（１）と前記電圧検出回路（６）を接続させる電圧ケーブルに連結されることで、前記第１接続端子（１）及び前記電圧検出回路（６）に接続されるとともに、前記過電圧及び過電流保護回路（９）は、さらに、前記ＤＳＰチップ（５）の第４端（ａ４）に接続されており、
前記ＤＳＰチップ（５）が前記電流検出回路（７）からの電流検出を受けて、電圧ケーブル（３２）を流れる電流が所定の電流閾値を超えると判断する場合、前記過電圧及び過電流保護回路（９）は前記ＤＳＰチップ（５）からの指令を受けて前記第１接続端子（１）と前記第２接続端子（２）との間の接続を切断し、
さらに、
前記ＤＳＰチップ（５）が前記電圧検出回路（６）からの電圧検出を受けて、電圧ケーブル（３２）の電圧が所定の電圧閾値を超えると判断する場合、前記過電圧及び過電流保護回路（９）は前記ＤＳＰチップ（５）からの指令を受け、前記第２接続端子（２）に出力される電圧を電圧閾値まで下げるように制御し、さらに、前記電圧ケーブル（３２）の電圧が所定の電圧閾値を超えた状態が一定時間を過ぎた場合に、前記過電圧及び過電流保護回路（９）は前記ＤＳＰチップ（５）からの指令を受けて前記第１接続端子（１）と前記第２接続端子（２）との間の接続を切断する
ことを特徴とする携帯電話に使用されるデータケーブル。
【請求項２】
請求項１に記載の携帯電話に使用されるデータケーブルにおいて、
前記携帯電話に使用されるデータケーブルは、
さらに、
前記本体（Ｌ）の内部に設けられる温度検出回路（１０）を備え、
前記温度検出回路（１０）は、前記ＤＳＰチップ（５）の第５端（ａ５）に接続されている
ことを特徴とする携帯電話に使用されるデータケーブル。
【請求項３】
請求項２に記載の携帯電話に使用されるデータケーブルにおいて、
前記電圧検出回路（６）は、相互に連結される第１分圧抵抗器（６１）と第２分圧抵抗器（６２）とを備え、
そのうち、
前記第１分圧抵抗器（６１）の一端は、前記２ピンの電圧ケーブル（３２）のうちの１ピンに接続され、
前記第１分圧抵抗器（６１）の他端は、前記第２分圧抵抗器（６２）の一端に連結されることで連結端が形成されるとともに、前記ＤＳＰチップ（５）の第１端（ａ１）に接続され、
前記第２分圧抵抗器（６２）の他端は、グランドに接続されている
ことを特徴とする携帯電話に使用されるデータケーブル。
【請求項４】
請求項３に記載の携帯電話に使用されるデータケーブルにおいて、
前記電流検出回路（７）は、相互に並列接続されるサンプリング抵抗器（７１）と集積オペアンプチップ（７２）を備え、
そのうち、
前記サンプリング抵抗器（７１）は、さらに、前記２ピンの電圧ケーブル（３２）のうちの別のピンに連結されることで、前記第１接続端子（１）及び前記第２接続端子（２）に接続され、
前記集積オペアンプチップ（７２）は、さらに、前記ＤＳＰチップ（５）の第２端（ａ２）に接続されている
ことを特徴とする携帯電話に使用されるデータケーブル。
【請求項５】
請求項４に記載の携帯電話に使用されるデータケーブルにおいて、
前記第１接続端子（１）のインターフェースタイプは、ＵＳＢ−ＴＹＰＥ−ＡまたはＵＳＢ−ＴＹＰＥ−Ｂである
ことを特徴とする携帯電話に使用されるデータケーブル。
【請求項６】
請求項５に記載の携帯電話に使用されるデータケーブルにおいて、
前記第２接続端子（２）のインターフェースタイプは、ｍｉｃｒｏ  ＵＳＢ、ｍｉｃｒｏ  ＵＳＢ  ｔｏ  Ｌｉｇｈｔｎｉｎｇ、ｍｉｃｒｏ  ＵＳＢ  ｔｏ  ＵＳＢ−ＴＹＰＥ−Ｃのうちのいずれかである
ことを特徴とする携帯電話に使用されるデータケーブル。
【請求項７】
請求項６に記載の携帯電話に使用されるデータケーブルにおいて、
前記電圧安定化回路（８）は、電圧安定化ダイオードによって形成され、
前記過電圧及び過電流保護回路（９）は、過電圧／過電流保護チップによって形成され、
前記温度検出回路（１０）は、温度センサーによって形成される
ことを特徴とする携帯電話に使用されるデータケーブル。
【請求項８】
請求項７に記載の携帯電話に使用されるデータケーブルにおいて、
前記ＤＳＰチップ（５）には、前記電圧検出回路（６）、前記電流検出回路（７）、前記過電圧及び過電流保護回路（９）、及び、前記温度検出回路（１０）にそれぞれ接続されるＡＤＣピンが設けられ、さらに、前記ディスプレイ（４）に接続されるＧＰＩＯとＩ２Ｃピンが設けられるとともに、無線通信機能が組み込まれ、
前記第１分圧抵抗器（６１）の抵抗値は、１ＭΩであり、前記第２分圧抵抗器（６２）の抵抗値は、１００ＫΩである
ことを特徴とする携帯電話に使用されるデータケーブル。
【発明の詳細な説明】
【技術分野】
【０００１】
本発明は、携帯電話の技術分野に関し、特に、携帯電話に使用されるデータケーブルに関する。
【背景技術】
【０００２】
本申請は、申請番号２０１８１０２９２１１３．１、発明名称「携帯電話に使用されるデータケーブル」の中国特許申請における優先権を、２０１８年４月３日に中国特許庁に提出しており、上述の特許文献の内容全てが本申請において引用され組み込まれている。
【０００３】
携帯電話の充電または携帯電話と外部デバイスとの間におけるデータ転送には、通常データケーブルが採用され、データケーブルによって接続されることで実現している。しかしながら、従来技術において、携帯電話がデータケーブルに接続されて充電される場合、携帯電話の電源をオンにすることでしか、充電された電力量の状態を確認することができず、データケーブルから携帯電話内部に入力される充電電圧と電流をリアルタイムで監視測定することができないため、データケーブルの充電端から過大電圧または過大電流が放出されると、携帯電話に損傷を与えてしまう。従って、データケーブルを流れる電圧及び／または電流をリアルタイムで監視制御し、隠れた危険を速やかに発見するとともに排除することで、携帯電話の充電プロセスにおける損傷率を低減する必要がある。
【発明の概要】
【発明が解決しようとする課題】
【０００４】
本発明は、主に、携帯電話の充電時に、データケーブルを流れる電圧及び／または電流をリアルタイムで監視制御し、隠れた危険を速やかに発見するとともに排除することで、携帯電話の充電プロセスにおける損傷率を低減することのできる携帯電話に使用されるデータケーブルを提供することを目的とする。
【課題を解決するための手段】
【０００５】
上述の技術問題を解決するため、本発明の実施例が提供する携帯電話に使用されるデータケーブルは、本体と、前記本体の内部に設けられ外部デバイスに接続するための第１接続端子と、携帯電話に接続するための第２接続端子と、前記第１接続端子と前記第２接続端子を接続させるための接続ケーブルと、からなる。そのうち、前記接続ケーブルは、データの送受信に用いられる２ピンのデータ通信ケーブルと、電圧を転送するための２ピンの電圧ケーブルを備える。
【０００６】
そのうち、前記携帯電話に使用されるデータケーブルは、前記本体外部に設けられるディスプレイと、前記本体内部に設けられるＤＳＰチップと、電圧検出回路及び／または電流検出回路を備える。
【０００７】
前記ＤＳＰチップの第１端は、前記電圧検出回路の第１端に接続され、第２端は、前記電流検出回路の第１端に接続され、第３端は、前記ディスプレイに接続される。
【０００８】
前記電圧検出回路の第２端は、前記２ピンの電圧ケーブルのうちの１ピンに接続され、第３端は、グランドに接続される。
【０００９】
前記電流検出回路の第２端と第３端は、前記２ピンの電圧ケーブルのうちの別のピンに連結されることで、前記第１接続端子及び前記第２接続端子に接続される。
【００１０】
そのうち、前記携帯電話に使用されるデータケーブルは、さらに、前記本体内部に設けられる電圧安定化回路を備え、前記電圧安定化回路の一端と前記電圧検出回路は、いずれも同じ電圧ケーブルに接続され、他端はグランドに接続される。
【００１１】
そのうち、前記携帯電話に使用されるデータケーブルは、さらに、前記本体内部に設けられる過電圧及び過電流保護回路を備える。
【００１２】
前記過電圧及び過電流保護回路は、前記第１接続端子と前記電圧検出回路を接続させる電圧ケーブルに連結されることで、前記第１接続端子及び前記電圧検出回路に接続されるとともに、前記過電圧及び過電流保護回路は、さらに、前記ＤＳＰチップの第４端に接続される。
【００１３】
そのうち、前記携帯電話に使用されるデータケーブルは、前記本体内部に設けられる温度検出回路を備え、前記温度検出回路は、前記ＤＳＰチップの第５端に接続される。
【００１４】
そのうち、前記電圧検出回路は、相互に連結される第１分圧抵抗器と第２分圧抵抗器を備える。
【００１５】
前記第１分圧抵抗器の一端は、前記２ピンの電圧ケーブルのうちの１ピンに接続され、他端は、前記第２分圧抵抗器の一端に連結されることで、連結端が形成されるとともに、前記ＤＳＰチップの第１端に接続される。
【００１６】
前記第２分圧抵抗器の他端は、グランドに接続される。
【００１７】
そのうち、前記電流検出回路は、相互に並列接続されるサンプリング抵抗器と集積オペアンプチップを備える。
【００１８】
前記サンプリング抵抗器は、さらに、前記２ピンの電圧ケーブルのうちの別のピンに連結されることで、前記第１接続端子及び前記第２接続端子に接続される。
【００１９】
前記集積オペアンプチップは、さらに、前記ＤＳＰチップの第２端に接続される。
【００２０】
そのうち、前記第１接続端のインターフェースタイプは、ＵＳＢ−ＴＹＰＥ−ＡまたはＵＳＢ−ＴＹＰＥ−Ｂである。
【００２１】
そのうち、前記第２接続端子のインターフェースタイプは、ｍｉｃｒｏ  ＵＳＢ、ｍｉｃｒｏ  ＵＳＢ  ｔｏ  Ｌｉｇｈｔｎｉｎｇ、ｍｉｃｒｏ  ＵＳＢ  ｔｏ  ＵＳＢ−ＴＹＰＥ−Ｃのうちのいずれかである。
【００２２】
そのうち、前記電圧安定化回路は、型番ＺＤ１０１の電圧安定化ダイオードによって形成され、前記過電圧及び過電流保護回路は、型番ＳＧＭ２５２５の過電圧／過電流保護チップによって形成され、前記温度検出回路は、型番ＮＴＣ１０１の温度センサーによって形成される。
【００２３】
そのうち、前記ＤＳＰチップの型番は、ＭＳ１７９３であり、前記ＤＳＰチップには、前記電圧検出回路、電流検出回路、過電圧及び過電流保護回路、及び、温度検出回路にそれぞれ接続されるＡＤＣピンが設けられ、さらに、前記ディスプレイに接続されるＧＰＩＯとＩ２Ｃピンが設けられるとともに、Ｂｌｕｅｔｏｏｔｈ通信機能が組み込まれる。前記集積オペアンプチップの型番は、ＳＧＭ８４７７である。前記第１分圧抵抗器の抵抗値は、１ＭΩであり、前記第２分圧抵抗器の抵抗値は、１００ＫΩである。
【発明の効果】
【００２４】
本発明の実施例を実施することで、以下の有益な效果を備える。
【００２５】
１、本発明の実施例において、電圧検出回路と電流検出回路は、データケーブルの２ピンの電圧ケーブル上に設けられるため、ＤＳＰチップによって電圧検出回路と電流検出回路から収集された電圧及び／または電流をリアルタイムでディスプレイに送信して表示することで、携帯電話の充電時に、データケーブルを流れる電圧及び／または電流をリアルタイムで監視制御し、隠れた危険を速やかに発見するとともに排除することで、携帯電話の充電プロセスにおける損傷率を低減する。
【００２６】
２、本発明の実施例において、データケーブルの２ピンの電圧ケーブルには、さらに、電圧安定化回路が設けられるため、高電圧パルスが携帯電話端末に漏れることで携帯電話の充電システムが損傷するのを防ぐことができる。
【００２７】
３、本発明の実施例において、データケーブルの２ピンの電圧ケーブルには、さらに、過電圧及び過電流回路が設けられるため、電圧または電流が高すぎる場合に２ピンの電圧ケーブルの接続が能動的に切断されることで、過電圧または過電流によって携帯電話の充電システムが損傷するのを防ぐことができる。
【００２８】
４、本発明の実施例において、データケーブルの２ピンの電圧ケーブルには、さらに、温度検出回路が設けられるため、温度が高すぎる場合に２ピンの電圧ケーブルの接続が能動的に切断されることで、高温によって携帯電話が損傷するのを防ぐことができる。
【００２９】
本発明の実施例または従来技術における技術案についてさらに分かりやすく説明するため、以下に実施例または従来技術を描写するのに必要な図について簡単に紹介する。見て分かる通り、以下に描写する図は、本発明の実施例の一部に過ぎず、本分野の一般の技術者にとって、創造力を働かさなくても、これらの図に基づいて他の図を取得できるものとする。
【図面の簡単な説明】
【００３０】
【図１】本発明の実施例が提供する携帯電話に使用されるデータケーブルにおける外部平面構造を示した図である。
【図２】本発明の実施例が提供する携帯電話に使用されるデータケーブルの内部システム構造を示した図である。
【図３】本発明の実施例が提供する携帯電話に使用されるデータケーブルにおける別の内部システム構造を示した図である。
【図４】図２と図３における電圧検出回路のシステム構造を示した図である。
【図５】図２と図３における電流検出回路のシステム構造を示した図である。
【図６】本発明の実施例が提供する携帯電話に使用されるデータケーブルにおける内部システム構造の回路アプリケーションを示した図である。
【発明を実施するための形態】
【００３１】
本発明を実施する特定の実施例を例示するため、以下の各実施例の説明は、図を参照する。本発明において言及される方向と位置に関する用語、例えば、「上」、「下」、「前」、「後」、「左」、「右」、「内」、「外」、「頂部」、「底部」、「側面」等は、図の方向または位置の参考のためのみに用いられる。従って、使用される方向と位置に関する用語は、本発明について説明するとともに本発明を理解しやすくするためのものであって、本発明の保護範囲を制限するものではない。
【００３２】
図１から図６に示す通り、本発明の実施例において提供される携帯電話に使用されるデータケーブルは、本体Ｌと、前記本体Ｌの内部に設けられ、外部デバイス（未図示、前記外部デバイスには、コンピュータ、充電器等が含まれる）に接続するための第１接続端子１と、携帯電話（未図示）に接続するための第２接続端子２と、第１接続端子１と第２接続端子２を接続させるための接続ケーブル３と、からなる。そのうち、接続ケーブル３は、データの送受信に用いられる２ピンのデータ通信ケーブル３１と、電圧を転送するための２ピンの電圧ケーブル３２を備える。
【００３３】
そのうち、本発明の実施例におけるデータケーブルは、さらに、本体Ｌの外部に設けられるディスプレイ４と、本体Ｌの内部に設けられるＤＳＰチップ５と、電圧検出回路６及び／または電流検出回路７を備える。
【００３４】
ＤＳＰチップ５の第１端ａ１は、電圧検出回路６の第１端ｂ１に接続され、第２端ａ２は、電流検出回路７の第１端ｃ１に接続され、第３端ａ３は、ディスプレイ４に接続されている。
【００３５】
電圧検出回路６の第２端ｂ２は、２ピンの電圧ケーブル３２のうちの１ピンに接続され、第３端ｂ３は、グランドに接続される。
【００３６】
電流検出回路７の第２端ｃ２と第３端ｃ３は、２ピンの電圧ケーブル３２のうちの別のピンに連結されることで、第１接続端子１及び第２接続端子２に接続される。
【００３７】
説明すべき点として、本発明の実施例におけるデータケーブルは、従来の４ピンまたは複数ピンのデータケーブル（例えば、ＵＳＢデータケーブルが含まれるが、これに制限されない）の基礎に基づき、従来のデータケーブルの電圧ケーブルに電圧検出回路６及び／または電流検出回路７を設けることで、携帯電話の充電時にリアルタイムで流れている電圧及び／または電流を検出するとともに、ＤＳＰチップ５によって受信した後、ディスプレイ４に送信し、リアルタイムで表示することで、携帯電話の充電時に、データケーブルを流れる電圧及び／または電流をリアルタイムで監視制御することができ、隠れた危険を速やかに発見するとともに排除することで、携帯電話の充電プロセスにおける損傷率を低減することができる。
【００３８】
理解できる点として、第１接続端子１は、外部デバイスのインターフェース（ＵＳＢ−ＴＹＰＥ−Ａ、ＵＳＢ−ＴＹＰＥ−Ｂのタイプを備えるがこれらに制限されない）に接続される。第２接続端子２は、携帯電話のインターフェース（携帯電話のインターフェースに基づいて、異なるタイプのインターフェースを設けることができ、ｍｉｃｒｏ  ＵＳＢ、ｍｉｃｒｏ  ＵＳＢ  ｔｏ  Ｌｉｇｈｔｎｉｎｇ、ｍｉｃｒｏ  ＵＳＢ  ｔｏ  ＵＳＢ−ＴＹＰＥ−Ｃを備えるがこれらに制限されない）に接続される。ディスプレイ４は、液晶ディスプレイまたはその他のディスプレイである。
【００３９】
１つの実施例において、２ピンのデータ通信ケーブル３１は、それぞれＤＭ、ＤＰに設定され、２ピンの電圧ケーブル３２は、それぞれＶＣＣ、ＧＮＤに設定され、第１接続端子１の外部デバイスのインターフェースタイプは、ＵＳＢ−ＴＹＰＥ−Ａであり、第２接続端子２は、ｍｉｃｒｏ  ＵＳＢタイプの携帯電話のインターフェースに接続され、ディスプレイ４は、液晶ディスプレイである。この際、電圧検出回路６は、２ピンの電圧ケーブル３２のうちのＶＣＣケーブルにいずれも接続され、電流検出回路７は、２ピンの電圧ケーブル３２のうちのＧＮＤケーブルに連結され、ＤＳＰチップ５には、ＭＣＵの機能を備えるチップが採用される。
【００４０】
別の実施例において、２ピンのデータ通信ケーブル３１は、それぞれＤＭ、ＤＰに設定され、２ピンの電圧ケーブル３２は、それぞれＶＣＣ、ＧＮＤに設定され、第１接続端子１の外部デバイスにおけるインターフェースのタイプは、ＵＳＢ−ＴＹＰＥ−Ａであり、第２接続端子２は、ｍｉｃｒｏ  ＵＳＢ  ｔｏ  Ｌｉｇｈｔｎｉｎｇタイプの携帯電話のインターフェースに接続され、ディスプレイ４は、液晶ディスプレイである。この際、電圧検出回路６は、２ピンの電圧ケーブル３２のうちのＶＣＣケーブルにいずれも接続され、電流検出回路７は、２ピンの電圧ケーブル３２のうちのＧＮＤケーブルに連結され、ＤＳＰチップ５には、ＭＣＵとＢｌｕｅｔｏｏｔｈ通信の機能を備えるチップが採用される。例えば、ＤＳＰチップ５の型番は、ＭＳ１７９３であり、ＤＳＰチップ５には、電圧検出回路６と電流検出回路７にそれぞれ接続されるＡＤＣピンと、ディスプレイ４に接続されるＧＰＩＯとＩ２Ｃピンが設けられるとともに、Ｂｌｕｅｔｏｏｔｈ通信機能が組み込まれる。
【００４１】
本発明の実施例において、図３に示す通り、携帯電話の充電時に、高電圧パルスが携帯電話端末に漏れて携帯電話の充電システムが損傷するのを防ぐため、本発明の実施例におけるデータケーブルは、さらに、本体Ｌの内部に設けられる電圧安定化回路８を備え、前記電圧安定化回路８の一端と電圧検出回路６は、同じピンの電圧ケーブル３２にいずれも接続され、他端は、グランドに接続される。
【００４２】
同様に、携帯電話の充電時に、長時間にわたって過電圧または過電流であることで携帯電話の充電システムが損傷するのを防ぐため、本発明の実施例におけるデータケーブルは、さらに、本体Ｌの内部に設けられる過電圧及び過電流保護回路９を備える。そのうち、前記過電圧及び過電流保護回路９は、第１接続端子１と電圧検出回路６を接続させる電圧ケーブル３２に連結されることで、第１接続端子１及び電圧検出回路６に接続されるとともに、前記過電圧及び過電流保護回路９は、さらに、ＤＳＰチップ５の第４端ａ４に接続されることで、電圧ケーブル３２を流れる電流が所定の電流閾値を超える場合、ＤＳＰチップ５によって第１接続端子１と第２接続端子２の間の接続が切り換えられる、または、電圧ケーブル３２を流れる電圧が所定の電圧閾値を超える場合、一定時間内に自動で電圧を電圧閾値にまで下がるよう調整することができるだけでなく、その際、出力電圧は下がらない。さらに、一定時間を過ぎると、ＤＳＰチップ５によって第１接続端子１と第２接続端子２の間の接続が切り換えられる。
【００４３】
同様に、携帯電話の充電時に、高温によって携帯電話の充電システムが損傷するのを防ぐため、本発明の実施例におけるデータケーブルは、さらに、本体Ｌの内部に設けられる温度検出回路１０を備え、前記温度検出回路１０は、ＤＳＰチップ５の第５端ａ５に接続され、本発明の実施例におけるデータケーブルの温度が高すぎる場合、ＤＳＰチップ５によって第１接続端子１と第２接続端子２の間の接続が切り換えられる。
【００４４】
１つの実施例において、電圧安定化回路８は、型番ＺＤ１０１の電圧安定化ダイオードによって形成され、過電圧及び過電流保護回路９は、型番ＳＧＭ２５２５の過電圧／過電流保護チップによって形成され、温度検出回路１０は、型番ＮＴＣ１０１の温度センサーによって形成されることで、充電器を抜いた瞬間に生じるサージを素早く放出することができるとともに、内部における過電圧／過電流及び高温現象から携帯電話を保護することができる。
【００４５】
そのうち、前記電圧安定化ダイオードＺＤ１０１と電圧検出回路６は、２ピンの電圧ケーブル３２のうちのＶＣＣケーブルにいずれも接続され、前記電圧安定化ダイオードＺＤ１０１は、非常に大きな電力の過渡抑制ダイオードであり、電圧が６Ｖ／１４Ｖより高くなると、瞬時に導通し、６Ｖ／１４Ｖより大きなエネルギーは、放出される。前記過電圧／過電流保護チップＳＧＭ２５２５は、２ピンの電圧ケーブル３２のうちのＶＣＣケーブルに連結されるとともに、ＶＣＣケーブルによって第１接続端子１及び電圧検出回路６と接続されると同時に、ＤＳＰチップ５が受信する過電圧／過電流保護指令にさらに接続される。前記温度センサーＮＴＣ１０１は、ＤＳＰチップ５に接続され、収集された温度をＤＳＰチップ５に送信する。
【００４６】
本発明の実施例において、図４に示す通り、電圧検出回路６は、相互に連結される第１分圧抵抗器６１と第２分圧抵抗器６２を備える。そのうち、第１分圧抵抗器６１の一端は、２ピンの電圧ケーブル３２のうちの１ピンに接続され、他端及び第２分圧抵抗器６２の一端は、連結端に連結され且つ連結端を形成するとともに、ＤＳＰチップ５の第１端ａ１に接続される。第２分圧抵抗器６２の他端は、グランドに接続される。１つの実施例において、第１分圧抵抗器６１の抵抗値は、１ＭΩであり、第２分圧抵抗器６２の抵抗値は、１００ＫΩであるとともに、第１分圧抵抗器６１は、２ピンの電圧ケーブル３２のうちのＶＣＣケーブルに接続され、第２分圧抵抗器６２は、グランドに接続されることで、ＤＳＰチップ５によって１／１１の電圧が収集される。
【００４７】
本発明の実施例において、図５に示す通り、電流検出回路７は、相互に並列接続されるサンプリング抵抗器７１と集積オペアンプチップ７２を備える。そのうち、サンプリング抵抗器７１は、２ピンの電圧ケーブル３２のうちの別のピンにさらに連結されることで、第１接続端子１及び第２接続端子２に接続される。集積オペアンプチップ７２は、さらに、ＤＳＰチップ５の第２端ａ２に接続される。説明すべき点として、集積オペアンプチップ７２によって、部品が多すぎて合理的な設置スペースが足りないという状況を防ぐことができる。１つの実施例において、集積オペアンプチップ７２の型番は、ＳＧＭ８４７７であり、サンプリング抵抗器７１の抵抗値は、１Ωであり、前記サンプリング抵抗器７１は、２ピンの電圧ケーブル３２のうちのＧＮＤケーブルに連結される。
【００４８】
図６は、本発明の実施例におけるデータケーブルの内部システム構造の回路アプリケーションを示した図である。図６において、ＵＳＢ−ＴＹＰＥ−Ａは、第１接続端子１であり、コンピュータ、充電器等に接続するのに用いられる。ｍｉｃｒｏ  ＵＳＢは、第２接続端子２であり、携帯電話に接続するのに用いられる。
【００４９】
ＵＳＢ−ＴＹＰＥ−Ａとｍｉｃｒｏ  ＵＳＢの間に設けられる４本のケーブルは、接続ケーブル３であり、そのうち、２本目、３本目は、２ピンのデータ通信ケーブル３１のＤＭ、ＤＰにそれぞれ対応し、１本目、４本目は、２ピンの電圧ケーブル３２のＶＣＣ、ＧＮＤにそれぞれ対応する。
【００５０】
電圧安定化ダイオードＺＤ１０１は、電圧安定化回路８を形成する。チップＵ１０３は、過電圧及び過電流保護回路９を形成する。温度センサーＮＴＣ１０１は、温度検出回路１０を形成する。
【００５１】
抵抗器Ｒ１０８は、第１分圧抵抗器６１であり、抵抗器Ｒ１０９は、第２分圧抵抗器６２であるとともに、抵抗器Ｒ１０８とＲ１０９は、電圧検出回路６を形成する。
【００５２】
抵抗器Ｒ１１１は、サンプリング抵抗器７１であり、チップＵ１０４は、集積オペアンプチップ７２であるとともに、抵抗器Ｒ１１１とチップＵ１０４は、電流検出回路７を形成する。当然のことながら、抵抗器Ｒ１１１とチップＵ１０４は、さらに、複数のフィルタコンデンサＣ１２９とＣ１３０等を備える。
【００５３】
液晶ディスプレイＣＯＮ１０８は、ディスプレイ４である。
【００５４】
チップＭＳ１７９３は、ＤＳＰチップ５であり、前記チップＭＳ１７９３のＰＡ３／ＡＤＣ３ピンは、電圧検出回路６に接続され、ＰＡ７／ＡＤＣ７ピンは、電圧検出回路７に接続される。ＰＡ４／ＡＤＣ４、ＥＮ、ＶＣＰ等のピンは、過電圧及び過電流保護回路９に接続される。ＰＡ０／ＡＤＣ０ピンは、温度検出回路１０に接続される。Ｔ２Ｃ＿ＳＣＬ、Ｔ２Ｃ＿ＳＤＡピンは、ディスプレイ４に接続される。
【００５５】
本発明の実施例を実施することで、以下の有益な效果を備える。
【００５６】
１、本発明の実施例において、電圧検出回路と電流検出回路は、データケーブルの２ピンの電圧ケーブル上に設けられることで、ＤＳＰチップによって電圧検出回路と電流検出回路から収集された電圧及び／または電流をリアルタイムでディスプレイに送信して表示することで、携帯電話の充電時に、データケーブルを流れる電圧及び／または電流をリアルタイムで監視制御し、隠れた危険を速やかに発見するとともに排除することで、携帯電話の充電プロセスにおける損傷率を低減する。
【００５７】
２、本発明の実施例において、データケーブルの２ピンの電圧ケーブルには、さらに、電圧安定化回路が設けられることで、高電圧パルスが携帯電話端末に漏れることで携帯電話の充電システムが損傷するのを防ぐことができる。
【００５８】
３、本発明の実施例において、データケーブルの２ピンの電圧ケーブルには、さらに、過電圧及び過電流回路が設けられることで、電圧または電流が高すぎる場合に２ピンの電圧ケーブルの接続が能動的に切断されることで、過電圧または過電流によって携帯電話の充電システムが損傷するのを防ぐことができる。
【００５９】
４、本発明の実施例において、データケーブルの２ピンの電圧ケーブルには、さらに、温度検出回路が設けられるため、温度が高すぎる場合に２ピンの電圧ケーブルの接続が能動的に切断されることで、高温によって携帯電話が損傷するのを防ぐことができる。
【００６０】
上述の内容は、具体的な好ましい実施方法と組みあわせて本発明についてさらに詳しく説明したものであり、本発明の具体的な実施方法は、上述の説明に限定されるわけではない。本発明の技術分野における一般の技術者は、本発明の概念を逸脱しないという前提のもとに、簡単なシュミレーションまたは置換を行うことができるが、それらすべては、本発明の保護範囲に含まれるものとする。
【符号の説明】
【００６１】
１  第１接続端子
２  第２接続端子
３  接続ケーブル
３１  ２ピンのデータ通信ケーブル
３２  ２ピンの電圧ケーブル
４    ディスプレイ
５  ＤＳＰチップ
ａ１、ｂ１、ｃ１  第１端
ａ２、ｂ２、ｃ２  第２端
ａ３、ｂ３、ｃ３  第３端
ａ４  第４端
ａ５  第５端
６  電圧検出回路
６１  第１分圧抵抗器
６２  第２分圧抵抗器
７  電流検出回路
７１  サンプリング抵抗器
７２  集積オペアンプチップ
８  電圧安定化回路
９  過電圧及び過電流保護回路
１０  温度検出回路
【図１】
0006967233.tif 000002
【図２】
0006967233.tif 000003
【図３】
0006967233.tif 000004
【図４】
0006967233.tif 000005
【図５】
0006967233.tif 000006
【図６】
0006967233.tif 000007